(57)【要約】      （修正有）【課題】データ通信量や電力供給量を増大させることができるMicroUSB規格準拠レセプタクルコネクタを提供する。【解決手段】レセプタクルコネクタ２は、複数の第２コンタクト４ａ〜４ｅと、複数の第２コンタクトを保持する第２絶縁材６と、複数の第２コンタクトのうち少なくとも一方の端に配列される前記第２コンタクトの外側に配置される第３コンタクト８ａ，８ｂと、第２コンタクト、第２絶縁材及び第３コンタクトを覆い第１嵌合部１８と嵌合する第２嵌合部を形成するシェル１０と、を備え、第２コンタクトは、第２接触部１４ａ〜１４ｅを有し、第２接触部は、第２絶縁材から平面状にて露出し、第３コンタクトは、第２接触部の露出方向にプラグコネクタが有する第４コンタクトと接触する第３接触部１６ａと、第３接触部からプラグコネクタを嵌合する嵌合方向に延長するばね部とを有する。【選択図】図１
2016012538.tif 000002
【特許請求の範囲】
【請求項１】
複数の第１コンタクトと、前記複数の第１コンタクトを保持する第１絶縁材と、前記複数の第１コンタクト及び前記第１絶縁材を覆い第１嵌合部が形成されたプラグシェルとを有するMicroUSB規格に準拠したMicroUSB規格準拠プラグコネクタを嵌合方向に沿って嵌合抜去可能であるMicroUSB規格に準拠したMicroUSB規格準拠レセプタクルコネクタであって、
複数の第２コンタクトと、
前記複数の第２コンタクトを保持する第２絶縁材と、
前記複数の第２コンタクトのうち少なくとも一方の端に配列される前記第２コンタクトの外側に配置される第３コンタクトと、
前記複数の第２コンタクト、前記第２絶縁材及び前記第３コンタクトを覆い前記第１嵌合部と嵌合する第２嵌合部を形成するシェルと、を備え、
前記第２コンタクトは、前記第１コンタクトと接触する第２接触部を有し、
前記第２接触部は、前記第２絶縁材から平面状にて露出し、
前記第３コンタクトは、前記第２接触部の露出方向に前記MicroUSB規格準拠プラグコネクタが有する第４コンタクトと接触する第３接触部と、前記第３接触部から前記MicroUSB規格準拠プラグコネクタを嵌合する嵌合方向に延長するばね部とを有することを特徴とするMicroUSB規格準拠レセプタクルコネクタ。
【請求項２】
複数の第２コンタクトと、前記複数の第２コンタクトを保持する第２絶縁材と、前記複数の第２コンタクト及び前記第２絶縁材を覆い第２嵌合部が形成されたシェルとを有するMicroUSB規格に準拠したMicroUSB規格準拠レセプタクルコネクタを嵌合方向に沿って嵌合抜去可能であるMicroUSB規格に準拠したMicroUSB規格準拠プラグコネクタであって、
複数の第１コンタクトと、
前記複数の第１コンタクトを保持する第１絶縁材と、
前記複数の第１コンタクトのうち少なくとも一方の端に配列される前記第１コンタクトの外側に配置される第４コンタクトと、
前記複数の第１コンタクト、前記第１絶縁材及び前記第４コンタクトを覆い前記第２嵌合部と嵌合する第１嵌合部を形成するプラグシェルと、を備え、
前記第１コンタクトは、前記第２コンタクトと接触する第１接触部と、前記第１接触部から前記MicroUSB規格準拠レセプタクルコネクタを嵌合する嵌合方向に延長するばね部とを有し、
前記第４コンタクトは、前記第１接触部の露出方向に前記MicroUSB規格準拠レセプタクルコネクタが有する第３コンタクトと接触する第４接触部を有し、
前記第４接触部は、前記第１絶縁材から平面状にて露出していることを特徴とするMicroUSB規格準拠プラグコネクタ。
【請求項３】
複数の第１コンタクトと、前記複数の第１コンタクトを保持する第１絶縁材と、前記複数の第１コンタクト及び前記第１絶縁材を覆い第１嵌合部が形成されたプラグシェルとを有するMicroUSB規格に準拠したMicroUSB規格準拠プラグコネクタを嵌合方向に沿って嵌合抜去可能であるMicroUSB規格に準拠したMicroUSB規格準拠レセプタクルコネクタであって、
複数の第２コンタクトと、
前記複数の第２コンタクトを保持する第２絶縁材と、
前記複数の第２コンタクト及び前記第２絶縁材を覆い前記第１嵌合部と嵌合する第２嵌合部を形成するシェルと、を備え、
前記第２コンタクトは、前記第１コンタクトと接触する第２接触部を有し、
前記第２接触部は、前記第２絶縁材から平面状にて露出し、
前記複数の第２コンタクトのうち少なくとも一方の端に配列される前記第２コンタクトの断面積は、他の前記第２コンタクトの断面積より大きいことを特徴とするMicroUSB規格準拠レセプタクルコネクタ。
【請求項４】
請求項３に記載のMicroUSB規格準拠レセプタクルコネクタであって、
前記複数の第２コンタクトのうち少なくとも一方の端に配列される前記第２コンタクトの前記第２接触部の露出面に連続する前記複数の第２コンタクトの配列方向の外側の側面は、前記第２絶縁材から露出していることを特徴とするMicroUSB規格準拠レセプタクルコネクタ。
【請求項５】
複数の第２コンタクトと、前記複数の第２コンタクトを保持する第２絶縁材と、前記複数の第２コンタクト及び前記第２絶縁材を覆い第２嵌合部が形成されたシェルとを有するMicroUSB規格に準拠したMicroUSB規格準拠レセプタクルコネクタを嵌合方向に沿って嵌合抜去可能であるMicroUSB規格に準拠したMicroUSB規格準拠プラグコネクタであって、
複数の第１コンタクトと、
前記複数の第１コンタクトを保持する第１絶縁材と、
前記複数の第１コンタクトのうち少なくとも一方の端に配列される前記第１コンタクトの外側に配置される第３コンタクトと、
前記複数の第１コンタクト、前記第１絶縁材及び前記第３コンタクトを覆い前記第２嵌合部と嵌合する第１嵌合部を形成するプラグシェルと、を備え、
前記第１コンタクトは、前記第２コンタクトと接触する第１接触部と、前記第１接触部から前記MicroUSB規格準拠レセプタクルコネクタを嵌合する嵌合方向に延長するばね部とを有し、
前記第３コンタクトは、前記第１接触部の露出方向に形成される第３接触部と、前記第３接触部から前記MicroUSB規格準拠レセプタクルコネクタを嵌合する嵌合方向に延長するばね部とを有し、
前記第１コンタクトの配列方向における前記プラグシェルの外径の中心位置から前記第１コンタクトの配列方向における前記第３接触部の外端までの寸法は、1.48mm以上であることを特徴とするMicroUSB規格準拠プラグコネクタ。
【発明の詳細な説明】
【技術分野】
【０００１】
本発明は、MicroUSBの規格に準拠したMicroUSB規格準拠レセプタクルコネクタ及びMicroUSB規格準拠プラグコネクタに関するものである。
【背景技術】
【０００２】
従来、標準USB（ユニバーサル・シリアル・バス）より小型のMicroUSBの規格が設定されており、当該規格に基づくMicroUSB規格準拠コネクタは多くの小型機器、例えばスマートフォン等に搭載されている。近年、これら小型機器へのデータ通信の高速化が望まれており、MicroUSBの規格に準拠したコネクタとの互換性を維持した状態でデータ通信のためのコンタクトを増設したコネクタが提案されている（例えば、特許文献１参照）。
【先行技術文献】
【特許文献】
【０００３】
【特許文献１】特開２０１２−１９０６１４号公報
【発明の概要】
【発明が解決しようとする課題】
【０００４】
USBデバイスとしての小型機器は、パソコン等のUSBホストとUSBケーブルを介して接続されると、USBホストから電力供給を受けることができる。また、小型機器は、携帯して利用されることが多いため、外出先でも充電可能な蓄電池を内蔵している。したがって、小型機器に内蔵されている蓄電池は、小型機器がパソコン等とUSBケーブルを介して接続されることにより、パソコン等から電力供給を受け、充電される。近年、小型機器に内蔵されている蓄電池への充電時間短縮が望まれているが、USBを用いた充電は、USBコネクタからの電流受給量に限界があるため、多くの時間を要していた。
【０００５】
また、MircoUSBの規格に準拠したレセプタクルコネクタは、USBデバイスとしての小型機器等に搭載され、MicroUSBの規格に準拠したプラグコネクタは、USBケーブル等に接続される。これらレセプタクルコネクタとプラグコネクタが嵌合する際、レセプタクルコネクタの嵌合部分が壊れやすいとの理由から、近年、嵌合部分を補強するために嵌合部分の所定エリアに金属板を配置したレセプタクルコネクタが増加している。そして、この金属板が配置される所定エリアには、ショートする可能性があるため、コンタクトを増設することができないという問題もあった。
【０００６】
本発明の目的は、MicroUSBの規格に準拠したコネクタとの互換性を維持した状態で、データ通信量や電力供給量を増大させることができるMicroUSB規格準拠レセプタクルコネクタ及びMicroUSB規格準拠プラグコネクタを提供することである。
【課題を解決するための手段】
【０００７】
本発明のMicroUSB規格準拠レセプタクルコネクタは、複数の第１コンタクトと、前記複数の第１コンタクトを保持する第１絶縁材と、前記複数の第１コンタクト及び前記第１絶縁材を覆い第１嵌合部が形成されたプラグシェルとを有するMicroUSB規格に準拠したMicroUSB規格準拠プラグコネクタを嵌合方向に沿って嵌合抜去可能であるMicroUSB規格に準拠したMicroUSB規格準拠レセプタクルコネクタであって、複数の第２コンタクトと、前記複数の第２コンタクトを保持する第２絶縁材と、前記複数の第２コンタクトのうち少なくとも一方の端に配列される前記第２コンタクトの外側に配置される第３コンタクトと、前記複数の第２コンタクト、前記第２絶縁材及び前記第３コンタクトを覆い前記第１嵌合部と嵌合する第２嵌合部を形成するシェルと、を備え、前記第２コンタクトは、前記第１コンタクトと接触する第２接触部を有し、前記第２接触部は、前記第２絶縁材から平面状にて露出し、前記第３コンタクトは、前記第２接触部の露出方向に前記MicroUSB規格準拠プラグコネクタが有する第４コンタクトと接触する第３接触部と、前記第３接触部から前記MicroUSB規格準拠プラグコネクタを嵌合する嵌合方向に延長するばね部とを有することを特徴とする。
【０００８】
また、本発明のMicroUSB規格準拠プラグコネクタは、複数の第２コンタクトと、前記複数の第２コンタクトを保持する第２絶縁材と、前記複数の第２コンタクト及び前記第２絶縁材を覆い第２嵌合部が形成されたシェルとを有するMicroUSB規格に準拠したMicroUSB規格準拠レセプタクルコネクタを嵌合方向に沿って嵌合抜去可能であるMicroUSB規格に準拠したMicroUSB規格準拠プラグコネクタであって、複数の第１コンタクトと、前記複数の第１コンタクトを保持する第１絶縁材と、前記複数の第１コンタクトのうち少なくとも一方の端に配列される前記第１コンタクトの外側に配置される第４コンタクトと、前記複数の第１コンタクト、前記第１絶縁材及び前記第４コンタクトを覆い前記第２嵌合部と嵌合する第１嵌合部を形成するプラグシェルと、を備え、前記第１コンタクトは、前記第２コンタクトと接触する第１接触部と、前記第１接触部から前記MicroUSB規格準拠レセプタクルコネクタを嵌合する嵌合方向に延長するばね部とを有し、前記第４コンタクトは、前記第１接触部の露出方向に前記MicroUSB規格準拠レセプタクルコネクタが有する第３コンタクトと接触する第４接触部を有し、前記第４接触部は、前記第１絶縁材から平面状にて露出していることを特徴とする。
【０００９】
また、本発明のMicroUSB規格準拠レセプタクルコネクタは、複数の第１コンタクトと、前記複数の第１コンタクトを保持する第１絶縁材と、前記複数の第１コンタクト及び前記第１絶縁材を覆い第１嵌合部が形成されたプラグシェルとを有するMicroUSB規格に準拠したMicroUSB規格準拠プラグコネクタを嵌合方向に沿って嵌合抜去可能であるMicroUSB規格に準拠したMicroUSB規格準拠レセプタクルコネクタであって、複数の第２コンタクトと、前記複数の第２コンタクトを保持する第２絶縁材と、前記複数の第２コンタクト及び前記第２絶縁材を覆い前記第１嵌合部と嵌合する第２嵌合部を形成するシェルと、を備え、前記第２コンタクトは、前記第１コンタクトと接触する第２接触部を有し、前記第２接触部は、前記第２絶縁材から平面状にて露出し、前記複数の第２コンタクトのうち少なくとも一方の端に配列される前記第２コンタクトの断面積は、他の前記第２コンタクトの断面積より大きいことを特徴とする。
【００１０】
また、本発明のMicroUSB規格準拠レセプタクルコネクタは、前記複数の第２コンタクトのうち少なくとも一方の端に配列される前記第２コンタクトの前記第２接触部の露出面に連続する前記複数の第２コンタクトの配列方向の外側の側面は、前記第２絶縁材から露出していることを特徴とする。
【００１１】
また、本発明のMicroUSB規格準拠プラグコネクタは、複数の第２コンタクトと、前記複数の第２コンタクトを保持する第２絶縁材と、前記複数の第２コンタクト及び前記第２絶縁材を覆い第２嵌合部が形成されたシェルとを有するMicroUSB規格に準拠したMicroUSB規格準拠レセプタクルコネクタを嵌合方向に沿って嵌合抜去可能であるMicroUSB規格に準拠したMicroUSB規格準拠プラグコネクタであって、複数の第１コンタクトと、前記複数の第１コンタクトを保持する第１絶縁材と、前記複数の第１コンタクトのうち少なくとも一方の端に配列される前記第１コンタクトの外側に配置される第３コンタクトと、前記複数の第１コンタクト、前記第１絶縁材及び前記第３コンタクトを覆い前記第２嵌合部と嵌合する第１嵌合部を形成するプラグシェルと、を備え、前記第１コンタクトは、前記第２コンタクトと接触する第１接触部と、前記第１接触部から前記MicroUSB規格準拠レセプタクルコネクタを嵌合する嵌合方向に延長するばね部とを有し、前記第３コンタクトは、前記第１接触部の露出方向に形成される第３接触部と、前記第３接触部から前記MicroUSB規格準拠レセプタクルコネクタを嵌合する嵌合方向に延長するばね部とを有し、前記第１コンタクトの配列方向における前記プラグシェルの外径の中心位置から前記第１コンタクトの配列方向における前記第３接触部の外端までの寸法は、1.48mm以上であることを特徴とする。
【発明の効果】
【００１２】
本発明によれば、MicroUSBの規格に準拠したコネクタとの互換性を維持した状態で、データ通信量や電力供給量を増大させることができるMicroUSB規格準拠レセプタクルコネクタ及びMicroUSB規格準拠プラグコネクタを提供することができる。
【図面の簡単な説明】
【００１３】
【図１】第１の実施の形態に係るMicroUSB規格準拠レセプタクルコネクタの斜視図である。
【図２】第１の実施の形態に係るMicroUSB規格準拠レセプタクルコネクタの斜視図である。
【図３】第１の実施の形態に係るMicroUSB規格準拠プラグコネクタの斜視図である。
【図４】第２の実施の形態に係るMicroUSB規格準拠レセプタクルコネクタの斜視図である。
【図５】第２の実施の形態に係るMicroUSB規格準拠レセプタクルコネクタの斜視図である。
【図６】第２の実施の形態に係るMicroUSB規格準拠プラグコネクタの斜視図である。
【発明を実施するための形態】
【００１４】
以下、図面を参照して本発明の第１の実施の形態に係るMicroUSB規格準拠レセプタクルコネクタ（以下、単にレセプタクルコネクタという。）及びMicroUSB規格準拠プラグコネクタ（以下、単にプラグコネクタという。）について説明する。なお、第１の実施の形態に係るレセプタクルコネクタ及びプラグコネクタは、嵌合方向に沿って嵌合抜去可能であるMicroUSBの規格に準拠したコネクタである。
【００１５】
図１は、第１の実施の形態にレセプタクルコネクタを下方向から視た斜視図であり、図２は、第１の実施の形態に係るレセプタクルコネクタを上方向から視た斜視図である。なお、図１及び図２においてはＸＹＺ直交座標系を設定し、この直交座標系を参照しつつ各部材の位置関係等について説明する。Ｘ軸は後述するシェル１０の上面に対して直交する方向に設定されている。また、Ｙ軸は後述する５つの第２コンタクト４ａ〜４ｅの配列方向に平行となるように設定されている。また、Ｚ軸は後述するレセプタクルコネクタ２に後述するプラグコネクタ３０（図３参照）を嵌合させる嵌合方向に平行となるように設定されている。また、シェル１０の上面側が＋Ｘ方向及びシェル１０の下面側が−Ｘ方向となるように、第２コンタクト４ａ側が＋Ｙ方向及び第２コンタクト４ｅ側が−Ｙ方向となるように、プラグコネクタ３０を嵌合させる嵌合方向が＋Ｚ方向及び抜去方向が−Ｚ方向となるように設定されている。
【００１６】
レセプタクルコネクタ２は、図１及び図２に示すように、５つの第２コンタクト４ａ〜４ｅ、第２絶縁材６、第３コンタクト８ａ，８ｂ及びシェル１０を備えて構成されている。なお、この実施の形態においては、２つの第３コンタクト８ａ，８ｂを有するレセプタクルコネクタ２を例に挙げて説明するが、少なくとも１つの第３コンタクト、例えば第３コンタクト８ａまたは８ｂのみを有するレセプタクルコネクタであってもよい。
【００１７】
第２絶縁材６は、絶縁体である合成樹脂等により構成されており、第２コンタクト４ａ〜４ｅを保持している。また、第２絶縁材６の上部（＋Ｘ方向側の部分）には、金属板１２が配置されている。金属板１２は、レセプタクルコネクタ２がプラグコネクタ３０と嵌合する際に、第２絶縁材６が破損等するのを防止するための補強部材として機能する。なお、金属板１２が配置されない構成であってもよい。
【００１８】
第２コンタクト４ａは、プラグコネクタ３０が備える第１コンタクト３２ａ（図３参照）と接触する第２接触部１４ａを有している。他の第２コンタクト４ｂ〜４ｅも、第２コンタクト４ａと同様に、他の第１コンタクト３２ｂ〜３２ｅ（図３参照）と接触する第２接触部１４ｂ〜１４ｅを有している。第２接触部１４ａ〜１４ｅは、第２絶縁材６から、−Ｘ方向に平面状にて露出している。なお、この実施の形態では、第２接触部１４ａ〜１４ｅの露出面の形状は、図１に示すように、平面視矩形状であるが、平面状であれば他の形状であってもよい。
【００１９】
第３コンタクト８ａは、第２コンタクト４ａ〜４ｅのうち一方の端に配列されている第２コンタクト４ａの外側（＋Ｙ方向側）に配置されている。また、第３コンタクト８ａは、第２接触部１４ａ〜１４ｅの露出方向（−Ｘ方向）に後述するプラグコネクタ３０が有する第４コンタクト３６ａ（図３参照）と接触する第３接触部１６ａと、第３接触部１６ａからプラグコネクタ３０を嵌合する嵌合方向（＋Ｚ方向）に延長するバネ部とを有している。
【００２０】
第３コンタクト８ｂは、第２コンタクト４ａ〜４ｅのうち他方の端に配列されている第２コンタクト４ｅの外側（−Ｙ方向側）に配置されている。また、第３コンタクト８ｂは、第２接触部１４ａ〜１４ｅの露出方向（−Ｘ方向）に第４コンタクト３６ｂ（図３参照）と接触する第３接触部１６ｂと、第３接触部１６ｂからプラグコネクタ３０を嵌合する嵌合方向（＋Ｚ方向）に延長するバネ部とを有している。
【００２１】
シェル１０は、第２コンタクト４ａ〜４ｅ、第２絶縁材６及び第３コンタクト８ａ，８ｂを覆い、プラグコネクタ３０に形成されている第１嵌合部４４（図３参照）と嵌合する第２嵌合部１８を形成している。
【００２２】
次に、第１の実施の形態に係るプラグコネクタ３０について説明する。図３は、この実施の形態に係るプラグコネクタ３０の斜視図である。なお、図３においては、図１及び図２と同様にＸＹＺ直交座標系を設定し、この直交座標系を参照しつつ各部材の位置関係等について説明する。Ｘ軸は後述するプラグシェル３８の上面に対して直交する方向に設定されている。また、Ｙ軸は後述する５つの第１コンタクト３２ａ〜３２ｅの配列方向に平行となるように設定されている。また、Ｚ軸はプラグコネクタ３０にレセプタクルコネクタ２を嵌合させる嵌合方向に平行となるように設定されている。また、プラグシェル３８の上面側が＋Ｘ方向及びプラグシェル３８の下面側が−Ｘ方向となるように、第１コンタクト３２ａ側が＋Ｙ方向及び第１コンタクト３２ｅ側が−Ｙ方向となるように、レセプタクルコネクタ２を嵌合させる嵌合方向が−Ｚ方向及び抜去方向が＋Ｚ方向となるように設定されている。
【００２３】
プラグコネクタ３０は、図３に示すように、５つの第１コンタクト３２ａ〜３２ｅ、第１絶縁材３４、第４コンタクト３６ａ，３６ｂ、及びプラグシェル３８を備えて構成されている。なお、この実施の形態においては、２つの第４コンタクト３６ａ，３６ｂを有するプラグコネクタ３０を例に挙げて説明するが、少なくとも１つの第４コンタクト、例えば第４コンタクト３６ａまたは３６ｂのみを有するプラグコネクタであってもよい。
【００２４】
第１絶縁材３４は、絶縁体である合成樹脂等により構成されており、第１コンタクト３２ａ〜３２ｅを保持している。第１コンタクト３２ａは、＋Ｘ方向にレセプタクルコネクタ２の第２コンタクト４ａ（図１参照）と接触する第１接触部４０ａと、第１接触部４０ａからレセプタクルコネクタ２を嵌合する嵌合方向（−Ｚ方向）に延長するバネ部とを有している。他の第１コンタクト３２ｂ〜３２ｅも、第１コンタクト３２ａと同様に、＋Ｘ方向に他の第２コンタクト４ｂ〜４ｅ（図１参照）と接触する第１接触部４０ｂ〜４０ｅと、第１接触部４０ｂ〜４０ｅから嵌合方向（−Ｚ方向）に延長するバネ部とを有している。
【００２５】
第４コンタクト３６ａは、第１コンタクト３２ａ〜３２ｅのうち一方の端に配列されている第１コンタクト３２ａの外側（＋Ｙ方向側）に配置されている。また、第４コンタクト３６ａは、第１接触部４０ａ〜４０ｅの露出方向（＋Ｘ方向）にレセプタクルコネクタ２の第３コンタクト８ａ（図１参照）と接触する第４接触部４２ａを有している。第４接触部４２ａは、第１絶縁材３４から、＋Ｘ方向に平面状にて露出している。
【００２６】
第４コンタクト３６ｂは、第１コンタクト３２ａ〜３２ｅのうち他方の端に配列されている第１コンタクト３２ｅの外側（−Ｙ方向側）に配置されている。また、第４コンタクト３６ｂは、第１接触部４０ａ〜４０ｅの露出方向（＋Ｘ方向）にレセプタクルコネクタ２の第３コンタクト８ｂ（図１参照）と接触する第４接触部４２ｂを有している。第４接触部４２ｂは、第１絶縁材３４から、＋Ｘ方向に平面状にて露出している。
なお、この実施の形態では、第４接触部４２ａ，４２ｂの露出面の形状は、図３に示すように、平面視矩形状であるが、平面状であれば他の形状であってもよい。
【００２７】
プラグシェル３０は、第１コンタクト３２ａ〜３２ｅ、第１絶縁材３４及び第４コンタクト３６ａ，３６ｂを覆い、レセプタクルコネクタ２に形成されている第２嵌合部１８（図１参照）と嵌合する第１嵌合部４４を形成している。
【００２８】
次に、第１の実施の形態に係るレセプタクルコネクタ２とプラグコネクタ３０を嵌合させた場合について説明する。図３に示すプラグシェル３８が図１に示すシェル１０内、即ち第２嵌合部１８に挿入されると同時に、図１に示す第２絶縁材６が図３に示す第１嵌合部４４に挿入される。このようにしてレセプタクルコネクタ２とプラグコネクタ３０とが嵌合されると、図１に示す第２接触部１４ａ〜１４ｅのそれぞれが図３に示す第１接触部４０ａ〜４０ｅのそれぞれに接触する。そして、第２接触部１４ａ〜１４ｅと第１接触部４０ａ〜４０ｅとが接触することにより、図３に示す第１コンタクト３２ａ〜３２ｅのバネ部のそれぞれが−Ｘ方向に押し下げられ、第１コンタクト３２ａ〜３２ｅと第２コンタクト４ａ〜４ｅが接続される。
【００２９】
同様に、レセプタクルコネクタ２とプラグコネクタ３０とが嵌合されると、図１に示す第３接触部１６ａ，１６ｂのそれぞれが図３に示す第４接触部４２ａ，４２ｂのそれぞれに接触する。そして、第３接触部１６ａ，１６ｂと第４接触部４２ａ，４２ｂとが接触することにより、図１に示す第３コンタクト８ａ，８ｂのバネ部のそれぞれが＋Ｘ方向に押し上げられ、第３コンタクト８ａ，８ｂと第４コンタクト３６ａ，３６ｂとが接続される。
【００３０】
この第１の実施の形態に係るレセプタクルコネクタ２によれば、MicroUSBの規格に準拠したコネクタであって、更に第３コンタクト８ａ，８ｂが増設されている。また、第１の実施の形態に係るプラグコネクタ３０によれば、MicroUSBの規格に準拠したコネクタであって、更に第４コンタクト３６ａ，３６ｂが増設されている。そのため、レセプタクルコネクタ２とプラグコネクタ３０とが嵌合されると、第３コンタクト８ａ，８ｂと第４コンタクト３６ａ，３６ｂとが接続される。したがって、MicroUSBの規格に準拠したコネクタとの互換性を維持した状態で、第３コンタクト８ａ，８ｂと第４コンタクト３６ａ，３６ｂとをデータ通信に使用した場合にはデータ通信量を、第３コンタクト８ａ，８ｂと第４コンタクト３６ａ，３６ｂとを電力供給に使用した場合には電力供給量を増大させることができる。即ち、レセプタクルコネクタ２をスマートフォン等の小型機器に搭載し、プラグコネクタ３０が接続されているUSBケーブルを介して、小型機器に内蔵されている蓄電池の充電を行った場合には、電力供給量を増大させることができるため、充電時間を短縮させることができる。また、第２絶縁材６を補強するために配置される金属板と接触しない箇所に第３コンタクト８ａ，８ｂを配置することにより、第３コンタクトの増設を可能とした。
【００３１】
次に、図面を参照して本発明の第２の実施の形態に係るMicroUSB規格準拠レセプタクルコネクタ（以下、単にレセプタクルコネクタという。）及びMicroUSB規格準拠プラグコネクタ（以下、単にプラグコネクタという。）について説明する。なお、第２の実施の形態に係るレセプタクルコネクタについては、図１及び図２に示すレセプタクルコネクタ２の構成と同一の構成には同一の符号を付し、その説明を省略する。同様に、第２の実施の形態に係るプラグコネクタについては、図３に示すプラグコネクタ３０の構成と同一の構成には同一の符号を付し、その説明を省略する。また、第２の実施の形態に係るレセプタクルコネクタ及びプラグコネクタは、嵌合方向に沿って嵌合抜去可能であるMicroUSBの規格に準拠したコネクタである。
【００３２】
図４は、第２の実施の形態にレセプタクルコネクタを下方向から視た斜視図であり、図５は、第２の実施の形態に係るレセプタクルコネクタを上方向から視た斜視図である。なお、図４及び図５においても、図１及び図２と同様のＸＹＺ直交座標系を設定し、この直交座標系を参照しつつ各部材の位置関係等について説明する。
【００３３】
レセプタクルコネクタ５０は、図４及び図５に示すように、５つの第２コンタクト５２ａ，４ｂ〜４ｄ，５２ｂ、第２絶縁材６及びシェル１０を備えて構成されている。なお、この実施の形態においては、第２コンタクト５２ａ，４ｂ〜４ｄ，５２ｂを有するレセプタクルコネクタ５０を例に挙げて説明するが、第２コンタクト５２ａ，４ｂ〜４ｅを備えるレセプタクルコネクタであってもよく、または第２コンタクト４ａ〜４ｄ，５２ｂを備えるレセプタクルコネクタであってもよい。
【００３４】
第２コンタクト５２ａは、第２コンタクト４ｂ〜４ｄの一方の端の外側（＋Ｙ方向側）に配列されている。また、第２コンタクト５２ａは、後述するプラグコネクタ６０が有する第１コンタクト３２ａ及び第３コンタクト６２ａ（図６参照）と接触する第２接触部５４ａ有している。第２接触部５４ａは、第２絶縁材６から、第２接触部１４ｂ〜１４ｄの露出方向（−Ｘ方向）に平面状にて露出している。また、第２接触部５４ａの露出面に連続する第２コンタクト４ｂ〜４ｄの配列方向の外側（−Ｙ方向側）の側面（第２コンタクト５２ａのＸＺ平面と平行な面）は、第２絶縁材６から露出している（図示せず）。この側面が第２絶縁材６から露出しない構成にしてもよいが、この側面を第２絶縁材６から露出させることにより、後述する第２コンタクト５２ａの断面積を更に大きく形成することができる。
【００３５】
第２コンタクト５２ｂは、第２コンタクト４ｂ〜４ｄの他方の端の外側（−Ｙ方向側）に配列されている。また、第２コンタクト５２ｂは、プラグコネクタ６０が有する第１コンタクト３２ｅ及び第３コンタクト６２ｂ（図６参照）と接触する第２接触部５４ｂ有している。第２接触部５４ｂは、第２絶縁材６から、第２接触部１４ｂ〜１４ｄの露出方向（−Ｘ方向）に平面状にて露出している。また、第２接触部５４ｂの露出面に連続する第２コンタクト４ｂ〜４ｄの配列方向の外側（＋Ｙ方向側）の側面（第２コンタクト５２ｂのＸＺ平面と平行な面）５６は、図４及び図５に示すように、第２絶縁材６から露出している。この側面５６が第２絶縁材６から露出しない構成にしてもよいが、この側面５６を第２絶縁材６から露出させることにより、後述する第２コンタクト５２ｂの断面積を更に大きく形成することができる。
【００３６】
なお、この実施の形態では、第２接触部５４ａ，５４ｂの露出面の−Ｘ方向側の形状は、図１に示すように、平面視矩形状であるが、平面状であれば他の形状であってもよい。
【００３７】
また、第２コンタクト５２ａ，５２ｂのＸＹ平面における断面積は、第２コンタクト４ｂ〜４ｄのＸＹ平面における断面積より大きい。即ち、第２接触部５４ａ，５４ｂのＹ方向における幅は、第２接触部１４ｂ〜１４ｄのＹ方向における幅より大きく、かつ第２絶縁材６内に埋設されている部分の第２コンタクト５２ａ，５２ｂのＸＹ平面における断面積は、第２絶縁材６内に埋設されている部分の第２コンタクト４ｂ〜４ｄのＸＹ平面における断面積より大きい。なお、第２接触部５４ａ，５４ｂのＹ方向における幅が第２接触部１４ｂ〜１４ｄのＹ方向における幅より大きくなくとも、第２コンタクト５２ａ，５２ｂのＸＹ平面における断面積が第２コンタクト４ｂ〜４ｄのＸＹ平面における断面積より大きければよい。同様に、第２絶縁材６内に埋設されている部分の第２コンタクト５２ａ，５２ｂのＸＹ平面における断面積が第２絶縁材６内に埋設されている部分の第２コンタクト４ｂ〜４ｄのＸＹ平面における断面積より大きくなくとも、第２コンタクト５２ａ，５２ｂのＸＹ平面における断面積が第２コンタクト４ｂ〜４ｄのＸＹ平面における断面積より大きければよい。
【００３８】
次に、第２の実施の形態に係るプラグコネクタについて説明する。図６は、この実施の形態に係るプラグコネクタの斜視図である。なお、図６においても、図３と同様のＸＹＺ直交座標系を設定し、この直交座標系を参照しつつ各部材の位置関係等について説明する。
【００３９】
プラグコネクタ６０は、図６に示すように、５つの第１コンタクト３２ａ〜３２ｅ、第１絶縁材３４、第３コンタクト６２ａ，６２ｂ、及びプラグシェル３８を備えて構成されている。なお、この実施の形態においては、２つの第３コンタクト６２ａ，６２ｂを有するプラグコネクタ６０を例に挙げて説明するが、少なくとも１つの第３コンタクト、例えば第３コンタクト６２ａまたは６２ｂのみを有するプラグコネクタであってもよい。
【００４０】
第３コンタクト６２ａは、第１コンタクト３２ａ〜３２ｅのうち一方の端に配列されている第１コンタクト３２ａの外側（＋Ｙ方向側）に配置されている。また、第３コンタクト６２ａは、＋Ｘ方向にレセプタクルコネクタ２の第２コンタクト５２ａ（図４参照）と接触する第３接触部６４ａと、第３接触部６４ａからレセプタクルコネクタ２を嵌合する嵌合方向（−Ｚ方向）に延長するバネ部とを有している。
【００４１】
第３コンタクト６２ｂは、第１コンタクト３２ａ〜３２ｅのうち他方の端に配列されている第１コンタクト３２ｅの外側（−Ｙ方向側）に配置されている。また、第３コンタクト６２ｂは、＋Ｘ方向にレセプタクルコネクタ２の第２コンタクト５２ｂ（図４参照）と接触する第３接触部６４ｂと、第３接触部６４ｂからレセプタクルコネクタ２を嵌合する嵌合方向（−Ｚ方向）に延長するバネ部とを有している。
【００４２】
また、図６に示すように、第１コンタクト３２ａ〜３２ｅの配列方向（Ｙ方向）におけるプラグシェル３８の外径Ａの中心位置ＢからＹ方向における第３接触部６４ａの外端Ｃまでの寸法Ｄは、１．４８ｍｍ以上に設定されている。同様に、外径Ａの中心位置ＢからＹ方向における第３接触部６４ｂの外端までの寸法も、１．４８ｍｍ以上に設定されている。
【００４３】
次に、第２の実施の形態に係るレセプタクルコネクタ５０とプラグコネクタ６０を嵌合させた場合について説明する。図６に示すプラグシェル３８が図４に示すシェル１０内、即ち第２嵌合部１８に挿入されると同時に、図４に示す第２絶縁材６が図６に示す第１嵌合部４４に挿入される。このようにしてレセプタクルコネクタ５０とプラグコネクタ６０とが嵌合されると、図４に示す第２接触部１４ｂ〜１４ｄのそれぞれが図６に示す第１接触部４０ｂ〜４０ｄのそれぞれに接触する。そして、第２接触部１４ｂ〜１４ｄと第１接触部４０ｂ〜４０ｄとが接触することにより、図６に示す第１コンタクト３２ｂ〜３２ｄのバネ部のそれぞれが−Ｘ方向に押し下げられ、第１コンタクト３２ｂ〜３２ｄと第２コンタクト４ｂ〜４ｄとが接続される。同様に、レセプタクルコネクタ５０とプラグコネクタ６０とが嵌合されると、図４に示す第２接触部５４ａは図６に示す第１接触部４０ａ及び第３接触部６４ａに、図４に示す第２接触部５４ｂは図６に示す第１接触部４０ｅ及び第３接触部６４ｂに接触する。そして、図６に示す第１コンタクト３２ａ，３２ｅ及び第３コンタクト６２ａ，６２ｂのバネ部のそれぞれが−Ｘ方向に押し下げられ、第１コンタクト３２ａ，３２ｅ及び第３コンタクト６２ａ，６２ｂと第２コンタクト５２ａ，５２ｂとが接続される。
【００４４】
この第２の実施の形態に係るレセプタクルコネクタ５０によれば、MicroUSBの規格に準拠したコネクタであって、第２コンタクト４ｂ〜４ｄの断面積よりも大きい断面積を有する第２コンタクト５２ａ，５２ｂが設置されている。また、第２の実施の形態に係るプラグコネクタ６０によれば、MicroUSBの規格に準拠したコネクタであって、更に第３コンタクト６２ａ，６２ｂが増設されている。そのため、レセプタクルコネクタ５０とプラグコネクタ６０とが嵌合されると、第２コンタクト５２ａ，５２ｂが第１コンタクト３２ａ，３２ｅと第３コンタクト６２ａ，６２ｂに接続される。したがって、MicroUSBの規格に準拠したコネクタとの互換性を維持した状態で、第２コンタクト５２ａ，５２ｂ、第１コンタクト３２ａ，３２ｅ及び第３コンタクト６２ａ，６２ｂを電力供給に使用した場合には電力供給量を増大させることができる。即ち、レセプタクルコネクタ２をスマートフォン等の小型機器に搭載し、プラグコネクタ３０が接続されているUSBケーブルを介して、小型機器に内蔵されている蓄電池の充電を行った場合には、電力供給量を増大させることができるため、充電時間を短縮させることができる。また、第２絶縁材６を補強するために配置される金属板と接触しない箇所に第３コンタクト８ａ，８ｂを配置することにより、第３コンタクトの増設を可能とした。
【００４５】
なお、上述の各実施の形態においては、レセプタクルコネクタ２とプラグコネクタ３０とを、レセプタクルコネクタ５０とプラグコネクタ６０とを嵌合させた場合を例に挙げて説明しているが、レセプタクルコネクタ２，５０及びプラグコネクタ３０，６０は、MicroUSBの規格に準拠したコネクタであるため、既に一般的に使用されているMicroUSB規格準拠コネクタを嵌合させることができる。
【００４６】
この場合には、レセプタクルコネクタ２の第３コンタクト８ａ，８ｂは既存のMicroUSB規格準拠プラグコネクタのいずれのコンタクトとも接続されないため、通常のデータ通信及び電力供給が行われることとなる。レセプタクルコネクタ５０の第２コンタクト５４ａ，５４ｂは既存のMicroUSB規格準拠プラグコネクタの既存のコンタクトにのみ接続されるため、通常のデータ通信及び電力供給が行われることとなる。
【００４７】
また、プラグコネクタ３０，６０の第４コンタクト３６ａ，３６ｂや第３コンタクト６２ａ，６２ｂは既存のMicroUSB規格準拠レセプタクルコネクタのいずれのコンタクトとも接続されないため、通常のデータ通信及び電力供給が行われることとなる。なお、上述したように、プラグコネクタ６０においては、プラグシェル３８の外径Ａの中心位置Ｂから第３接触部６４ａ，６４ｂの外端までの寸法が１．４８ｍｍ以上に設定されているため、第３コンタクト６２ａ，６２ｂが既存のMicroUSB規格準拠レセプタクルコネクタの複数のコンタクトのうち端に配列されるコンタクトと接触することはない。
【符号の説明】
【００４８】
２，５０…MicroUSB規格準拠レセプタクルコネクタ、４ａ〜４ｅ，５２ａ，５２ｂ…第２コンタクト、６…第２絶縁材、８ａ，８ｂ，６２ａ，６２ｂ…第３コンタクト、１０…シェル、１２…金属板、１４ａ〜１４ｅ，５４ａ，５４ｂ…第２接触部、１６ａ，１６ｂ，６４ａ，６４ｂ…第３接触部、１８…第２嵌合部、３０，６０…MicroUSB規格準拠プラグコネクタ、３２ａ〜３２ｅ…第１コンタクト、３４…第１絶縁材、３６ａ，３６ｂ…第４コンタクト、３８…プラグシェル、４０ａ〜４０ｅ…第１接触部、４２ａ，４２ｂ…第４接触部、４４…第１嵌合部、５６…側面。
【図１】
2016012538.tif 000003
【図２】
2016012538.tif 000004
【図３】
2016012538.tif 000005
【図４】
2016012538.tif 000006
【図５】
2016012538.tif 000007
【図６】
2016012538.tif 000008